(57)【要約】【課題】特別なユーザ操作を行わなくても個々の画像データをその画像内容に応じて適切に圧縮できるようにする。【解決手段】ライブビュー画像を取得すると共に（ステップＳ３）、画像解析部７を起動させてその画像解析を開始させる（ステップＳ４）。この解析結果に基づいて圧縮率決定テーブル３Ｅを参照し、その解析結果に該当する圧縮率を決定する（ステップＳ５）。そして、ＲＡＷデータを取得して（ステップＳ７）、ＲＡＷデータを圧縮する処理（ステップＳ８）。これによって圧縮生成されたＲＡＷファイルを画像メモリ３Ｄに記録保存する（ステップＳ９）。【選択図】  図３
2016052081.tif 000002
【特許請求の範囲】
【請求項１】
撮像された画像データを保存する撮像装置であって、
ライブビュー画像を取得する取得手段と、
前記取得手段によって取得したライブビュー画像を解析する解析手段と、
前記解析手段による解析結果に基づいて、保存対象の画像データの圧縮率を決定する決定手段と、
前記決定手段によって決定された圧縮率で前記画像データを圧縮処理する圧縮処理手段と、
を備えたことを特徴とする撮像装置。
【請求項２】
前記画像データは、撮像素子から取得したＲＡＷデータである、
ことを特徴とする請求項１記載の撮像装置。
【請求項３】
前記画像データは、連続撮影された各画像データである、
ことを特徴とする請求項１又は２記載の撮像装置。
【請求項４】
前記決定手段は、保存対象のＲＡＷデータを、あらかじめ設定されているメモリ領域に保存可能な適切なサイズに圧縮するための圧縮率を決定する、
ことを特徴とする請求項１乃至３のいずれか１項に記載の撮像装置。
【請求項５】
前記決定手段は、前記解析手段による解析結果に基づいて、前記画像データから画像ファイルを生成する時の圧縮率を決定し、
前記決定手段によって決定された圧縮率で前記画像ファイルを生成する生成手段を更に備える、
ことを特徴とする請求項１乃至４のいずれか１項に記載の撮像装置。
【請求項６】
前記画像データは、撮像素子から取得したＲＡＷデータであり、
前記画像ファイルは、前記ＲＡＷデータに対して現像処理された現像済み画像である、
ことを特徴とする請求項５に記載の撮像装置。
【請求項７】
前記解析手段は、前記ライブビュー画像における画像の分散を解析する、
ことを特徴とする請求項１乃至６のいずれか１項に記載の撮像装置。
【請求項８】
前記解析手段は、前記ライブビュー画像における明るさの分布を解析する、
ことを特徴とする請求項１乃至６のいずれか１項に記載の撮像装置。
【請求項９】
前記解析手段は、前記ライブビュー画像における画像の分散を解析する方法、前記ライブビュー画像における明るさの分布を解析する方法を含む複数の解析方法のうち、少なくともその一つの解析方法が任意に選択指定された場合に、その指定方法で解析する、
ことを特徴とする請求項１乃至６のいずれか１項に記載の撮像装置。
【請求項１０】
撮像された画像データを保存する撮像装置における画像保存方法であって、
ライブビュー画像を取得する処理と、
前記取得したライブビュー画像を解析する処理と、
前記解析結果に基づいて、保存対象の画像データの圧縮率を決定する処理と、
前記決定された圧縮率で前記画像データを圧縮する処理と、
を含むことを特徴とする画像保存方法。
【請求項１１】
撮像された画像データを保存する撮像装置のコンピュータに対して、
ライブビュー画像を取得する機能と、
前記取得したライブビュー画像を解析する機能と、
前記解析結果に基づいて、保存対象の画像データの圧縮率を決定する処理と、
前記決定された圧縮率で前記画像データを圧縮処理する機能と、
を実現させるためのプログラム。
【発明の詳細な説明】
【技術分野】
【０００１】
本発明は、撮像された画像データを保存する撮像装置、画像保存方法及びプログラムに関する。
【背景技術】
【０００２】
近年、デジタルカメラなどの撮像装置においては、その撮像素子から取得したＲＡＷ（Bayerパターン）データ、例えば、１２ビット（４０９６階調）で表現された画像データに対して、カラー変換（ＲＧＢ変換）処理、ホワイトバランスやシャープネス調整処理などの現像処理をＰＣ（パーソナルコンピュータ）側で行わせるために、現像処理を行わずにＲＡＷデータをメモリ（例えば、フラッシュメモリ）に記録保存するようにしている。又は、現像処理後の画像データ（現像済みの画像データ：例えば、ＪＰＥＧ形式などの画像ファイル）と共に、ＲＡＷデータをメモリに記録保存するようにしている。
【０００３】
ＲＡＷデータは、データ量の多い画像であるために高品位画像を生成するための元画像として利用可能であるが、現像処理後の画像データ（現像済みの画像データ）に比べて、データサイズが大きいために圧縮（例えば、非可逆圧縮）してからメモリに記録保存する場合がある。この場合、その圧縮率を変更する機能を備えていない撮像装置においては、メモリに保存可能なサイズになるまで圧縮処理を何回も繰り返す必要があるため、例えば、高速連写撮影などでは、連写速度に圧縮処理が追いつかず、途中で画像記録が終わったり、コマが落ちしたりすることがある（特許文献１参照）。
【先行技術文献】
【特許文献】
【０００４】
【特許文献１】特開２００６−１６６２５９号公報
【発明の概要】
【発明が解決しようとする課題】
【０００５】
そこで、圧縮処理のリトライ回数を制限することによってコマ落ちなどを防止しようとした場合に、予め圧縮率を高めに設定しておかなくてはならないために、画像によっては画質が大きく低下してしまうという事態を招いてしまう。
【０００６】
本発明の課題は、特別なユーザ操作を行わなくても個々の画像データをその画像内容に応じて適切に圧縮できるようにすることである。
【課題を解決するための手段】
【０００７】
上述した課題を解決するために本発明の撮像装置は、
撮像された画像データを保存する撮像装置であって、
ライブビュー画像を取得する取得手段と、
前記取得手段によって取得したライブビュー画像を解析する解析手段と、
前記解析手段による解析結果に基づいて、保存対象の画像データの圧縮率を決定する決定手段と、
前記決定手段によって決定された圧縮率で前記画像データを圧縮処理する圧縮処理手段と、
を備えたことを特徴とする。
【発明の効果】
【０００８】
本発明によれば、特別なユーザ操作を行わなくても個々の画像データをその画像内容に応じて適切に圧縮することができ、画質の低下を抑えながら圧縮後のデータ量を極力少なくすることが可能となる。
【図面の簡単な説明】
【０００９】
【図１】撮像装置として適用したデジタルカメラの基本的な構成要素を示したブロック図。
【図２】圧縮率決定テーブル３Ｅを説明するための図。
【図３】撮影時の動作概要（本実施形態の特徴部分の動作概要）を示したフローチャート。
【発明を実施するための形態】
【００１０】
以下、図１〜図３を参照して本発明の実施形態を説明する。
図１は、撮像装置として適用したデジタルカメラの基本的な構成要素を示したブロック図である。
このデジタルカメラは、基本的な撮像機能、連写機能、計時機能などを備え、静止画像のほかに動画像の撮影も可能なコンパクトカメラ又は一眼レフカメラである。制御部１は、電源部（二次電池）２からの電力供給によって動作し、記憶部３内の各種のプログラムに応じてこのデジタルカメラの全体動作を制御するもので、この制御部１には図示しないＣＰＵ（中央演算処理装置）やメモリなどが設けられている。
【００１１】
記憶部３は、例えば、ＲＯＭ、フラッシュメモリなどを有する構成で、後述する図３に示した動作手順に応じて本実施形態を実現するためのプログラムや各種のアプリケーションなどが格納されているプログラムメモリ３Ａを有している。更に、記憶部３は、撮像された撮影データを一時記憶する複数個のバッファを備えたバッファメモリ３Ｂと、このカメラが動作するために必要となる各種の情報（例えば、フラグなど）を一時的に記憶するその他のワークメモリ３Ｃと、撮影画像を記録保存する画像メモリ（フラッシュメモリ）３Ｄと、後で詳述するが、ＲＡＷ（Bayerパターン）データを保存する際の圧縮率を決定するための圧縮率決定テーブル３Ｅなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１２】
操作部４は、図示省略したが、撮影が可能な動作モード（撮影モード）と、撮影済み画像（保存画像）を再生する動作モード（再生モード）を切り換えるモード変更ボタンと、撮影開始を指示するレリーズボタン（シャッタ）のほかに、露出やシャッタスピードなどの撮影条件の設定操作、再生対象を選択する画像選択操作などを行う押しボタン式の各種のキーを備えたもので、制御部１は、この操作部４からの入力操作信号に応じた処理として、例えば、モード変更処理、撮影処理、撮影条件の設定、画像選択処理などを行う。表示部５は、高精細液晶ディスプレイあるいは有機ＥＬ（Electro  Luminescence）ディスプレイなどで、撮像された画像データ（ライブビュー画像）をリアルタイムに表示するモニタ画面（ライブビュー画面）となったり、撮影済みの画像データを再生する再生画面となったりする。
【００１３】
撮像部６は、被写体を高精細に撮影可能なカメラ部を構成するもので、そのレンズユニット６Ａは、ズームレンズ６Ｂ、フォーカスレンズ（合焦レンズ）６Ｃ、絞り・シャッタ６Ｄ、撮像素子（ＣＣＤあるいはＣＭＯＳ）６Ｅを有している。撮像部６は、制御部１からの制御信号に応じてズームレンズ６Ｂ、フォーカスレンズ６Ｃ、絞り・シャッタ６Ｄを駆動することによりズーム調整、焦点調整、自動露出調整（ＡＥ）、撮影開始／終了を制御するようにしている。
【００１４】
ズームレンズ６Ｂ、フォーカスレンズ６Ｃなどの光学レンズ系からの被写体像が撮像素子６Ｅに結像されると、光電変換されて読み出された画像信号（アナログ値の信号）は、デジタル値のデータに変換されてバッファメモリ３ＢにＲＡＷ（Bayerパターン）データ、例えば、１２ビット（４０９６階調）で表現された画像データとして一時記憶され、また、このＲＡＷデータに対して所定の画像表示処理が施されて表示部５にライブビュー画像としてリアルタイムにモニタ表示される。なお、ＲＡＷデータとは、デジタル変換されたままの未加工の画像データ（現像処理前の画像データ）であるが、ゲイン調整を施した画像データなどであってもよい。
【００１５】
画像解析部７は、ライブビュー画像を取得して画像解析を行うもので、複数種類の解析方法にしたがった解析が可能な構成となっている。その一つの解析方法は、画像内の絵柄の細かさを解析する方法であり、画像データ（ライブビュー画像）を色成分毎にその空間周波数成分を検出することによって行う。画像データ内の個々の絵柄（被写体）によって空間周波数成分の分布（高周波成分を多く含むか低周波成分を多く含むかなど）が異なり、絵柄が細かいほど高周波数成分が増加することから、空間周波数成分の分布状態に基づいて絵柄の分散の大きさ（絵柄の細かさ）を特定するという解析方法である。なお、この絵柄の細かさに基づいて画像データのデータ量を特定することができる。
【００１６】
他の解析方法は、画像の明るさ分布を解析する方法である。暗い画像よりも明るい画像の方がコントラストがつきやすく、データ量も多くなるために画像内の各画素の明るさについてのヒストグラムを生成し、その分布を見れば、データ量を判断することができる。このように、この明るさの分布状態に基づいて画像データのデータ量を特定するようにしている。
なお、ここで解析の対象となるライブビュー画像は、ライブビュー画像用に撮像したＲＡＷデータでもよいし、また、その後、画像処理されて表示部５に表示される画像であってもよい。
【００１７】
このように画像解析部７は、“絵柄の細かさを解析する方法”、“画像の明るさ分布を解析する方法”で画像内容を解析可能であるが、そのいずれか一つの解析方法を実行させるか、両方の解析方法の組み合わせを実行させるかは、ユーザ操作によって任意に選択可能となっている。制御部１は、画像解析部７の解析結果（ライブビュー画像の解析結果）に基づいて、保存対象となる画像データ（ＲＡＷデータ）の圧縮率を決定するようにしている。すなわち、“絵柄の細かさを解析する方法”がユーザ選択されたのか、“画像の明るさを解析する方法”がユーザ選択されたのか、絵柄の細かさを解析する方法”及び“画像の明るさ分布を解析する方法”がユーザ選択されたのかに応じて、ＲＡＷデータの圧縮率を決定するようにしている。
【００１８】
図２は、圧縮率決定テーブル３Ｅを説明するための図である。
圧縮率決定テーブル３Ｅは、ライブビュー画像の解析結果に基づいてＲＡＷデータの圧縮率を決定するテーブルで、画像解析部７による解析方法別にその各解析結果に対応付けて圧縮率を記憶する構成となっている。すなわち、「解析方法」、「解析結果」、「圧縮率」の各項目を有する構成となっている。制御部１は、“絵柄の細かさを解析する方法”がユーザ選択された場合には、その解析結果（絵柄の細か：データ量）ａ１、ａ２、ａ３に基づいて圧縮率ｂ１、ｂ２、ｂ３を決定する。この場合、絵柄の細かさ（データ量）は、ａ１＞ａ２＞ａ３の関係にあり、圧縮率の高さはｂ１＞ｂ２＞ｂ３の関係にある。つまり、高圧縮率ｂ１、中圧縮率ｂ２、低圧縮率ｂ３となり、絵柄が細い程（データ量が多い程）、高い圧縮率を決定するようにしている。
【００１９】
また、“画像の明るさ分布を解析する方法”がユーザ選択された場合には、その解析結果（明るさ：データ量）ｃ１、ｃ２、ｃ３に基づいて圧縮率ｄ１、ｄ２、ｄ３を決定する。この場合、明るさ（データ量）はｃ１＞ｃ２＞ｃ３の関係にあり、圧縮率はｄ１＞ｄ２＞ｄ３の関係にある。つまり、高圧縮率ｄ１、中圧縮率ｄ２、低圧縮率ｄ３となり、画像が明るい程（データ量が多い程）、高い圧縮率を決定するようにしている。
【００２０】
また、２種類の解析方法の組み合わせがユーザ選択された場合、つまり、“絵柄の細かさを解析する方法”と“画像の明るさ分布を解析する方法”がユーザ選択された場合には、各解析方法の組み合わせた解析結果ｅ１、ｅ２、ｅ３に基づいて圧縮率ｆ１、ｆ２、ｆ３を決定する。なお、組み合わせ結果としては、“絵柄の細かさを解析する方法”の解析結果と“画像の明るさ分布を解析する方法”の解析結果の平均値であってもよく、また、各解析結果に重み付けを施してその平均値を求めるようにしてもよく、それらの組み合わせの仕方は任意であり、更に、高圧縮率、中圧縮率、低圧縮率の値は、解析方法毎に異なるようにしてもよい。また、解析結果と圧縮率が３段階の場合で説明したが、これに限ることなく、何段階で設定してもよい。「圧縮率」は、保存対象のＲＡＷデータを、あらかじめ設定されているメモリ領域に保存可能な適切なサイズに圧縮するための圧縮率である。
【００２１】
制御部１は、ＲＡＷデータを圧縮処理して記録保存する場合、上述のようにして決定した圧縮率に応じたファイルサイズにＲＡＷデータを非可逆圧縮処理してＲＡＷファイル（ＲＡＷ形式の画像ファイル）を生成し、このＲＡＷファイルを画像メモリ３Ｄに記録保存するようにしている。この場合、例えば、低圧縮率であれば、元のＲＡＷデータ（元画像）の１／５程度、中圧縮率であれば、元画像の１／１０程度、高圧縮率であれば、元画像の１／１５程度にＲＡＷデータを圧縮して記録保存するようにしているが、低圧縮率、中圧縮率、高圧縮率の値は、上述の例に限らず、任意である。また、ＲＡＷデータの圧縮方法としては、非可逆圧縮に限らず、可逆圧縮であってもよいが、画質の低下を抑えて圧縮後のデータ量が少なくなる方法が好ましい。
【００２２】
次に、本実施形態におけるデジタルカメラの動作概念を図３に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。なお、図３は、デジタルカメラの全体動作のうち、本実施形態の特徴部分の動作概要を示したフローチャートであり、この図３のフローから抜けた際には、全体動作のメインフロー（図示省略）に戻る。
【００２３】
図３は、撮影モードに応じて実行開始される動作（本実施形態の特徴的な動作）を説明するためのフローチャートである。
先ず、制御部１は、撮影を指示するシャッタ操作（２段押し込みのシャッター操作）として、先ず、ハーフシャッタ操作（１段押しのレリーズ半押し操作）が行われたかを調べ（ステップＳ１）、ハーフシャッタ操作が行われるまで待機状態となるが、ハーフシャッタ操作が行われると（ステップＳ１でＹＥＳ）、自動焦点調整（ＡＦ）を開始すると共に自動露出調整（ＡＥ）を開始する（ステップＳ２）。
【００２４】
この場合、制御部１は、撮像素子６Ｅからの画像信号がデジタルデータに変換されてバッファメモリ３ＢにＲＡＷデータとして一時記憶され、また、表示部５にライブビュー画像として表示されている状態において、そのライブビュー画像を取得すると共に（ステップＳ３）、画像解析部７を起動させてその画像解析を開始させる（ステップＳ４）。画像解析部７は、予めユーザ選択されている解析方法にしたがってライブビュー画像を解析する。例えば、“絵柄の細かさを解析する方法”がユーザ選択されている場合には、ライブビュー画像を色成分毎の空間周波数成分を検出し、その空間周波数成分の分布状態に基づいて絵柄の細か（データ量）特定する。“画像の明るさ分布を解析する方法”がユーザ選択されている場合には、ライブビュー画像の各画素の明るさについてのヒストグラムを生成し、その明るさの分布状態に基づいて画像データのデータ量を特定する。
【００２５】
制御部１は、この解析結果に基づいて圧縮率決定テーブル３Ｅを参照し、その解析結果に該当する圧縮率を決定する（ステップＳ５）。このようにして撮影準備が完了すると、フルシャッター操作（レリーズ全押し操作）によって撮影開始が指示されたかを調べ（ステップＳ６）、撮影開始が指示されるまで待機状態となる。ここで、撮影開始が指示されると（ステップＳ６でＹＥＳ）、撮影処理を実行し、バッファメモリ３ＢからＲＡＷデータを取得して（ステップＳ７）このＲＡＷデータを圧縮処理する（ステップＳ８）。
【００２６】
この場合、上述のステップＳ５で決定した圧縮率に応じたファイルサイズにＲＡＷデータを非可逆圧縮する。これによって圧縮生成されたＲＡＷファイルを画像メモリ３Ｄに記録保存する（ステップＳ９）。そして、撮影モードが解除されて撮影終了が指示されたかを調べ（ステップＳ１０）、撮影終了が指示されるまで上述のステップＳ１に戻るが、撮影終了が指示されたときには（ステップＳ１０でＹＥＳ）、図３のフローから抜ける。
【００２７】
以上のように、本実施形態において制御部１は、ライブビュー画像を取得して画像解析を行い、その解析結果に基づいて、保存対象の画像データの圧縮率を決定すると共に、決定した圧縮率で画像データを圧縮処理するようにしたので、特別なユーザ操作を行わなくても個々の画像データをその画像内容に応じて適切に圧縮することができ、画質の低下を抑えながら圧縮後のデータ量を極力少なくすることが可能となる。
【００２８】
画像データは、撮像素子６Ｅから取得したＲＡＷデータであるので、ファイルサイズが大きいＲＡＷデータであってもコンパクトに保存することができる。
【００２９】
制御部１は、ライブビュー画像を取得して画像解析を行い、その解析結果に基づいて、ＲＡＷファイルを生成する時の圧縮率を決定し、この圧縮率でＲＡＷファイルを生成するようにしたので、ＲＡＷデータを圧縮ファイルの形式で記録保存することができる。
【００３０】
制御部１は、ライブビュー画像を取得して画像の分散の大きさ（絵柄の細かさ）を検出するようにしたので、絵柄の細さから個々の画像の圧縮率を決定することができる。
【００３１】
制御部１は、ライブビュー画像を取得して各画素の明るさ分布を検出するようにしたので、明るさの分布状態から個々の画像の圧縮率を決定することができる。
【００３２】
ライブビュー画像における画像の分散を解析する方法、明るさ分布を解析する方法を含む複数の解析方法のうち、少なくともその一つの解析方法が任意に選択可能としたので、ユーザの意向に応じた解析が可能となる。
【００３３】
なお、上述した実施形態においては、シャッタ操作を行う毎に、１枚ずつ画像を撮像する場合を例示したが、複数枚の画像を連続して撮影（連写）する場合であってもよい。この場合、撮像された複数枚のＲＡＷデータがバッファメモリ３Ｂに一時記憶されている状態において、その各ＲＡＷデータを順次圧縮して記録保存するようにすればよい。また、連写開始が指示される前にライブビュー画像を解析することによって決定した圧縮率で各ＲＡＷデータを順次圧縮すればよい。このように連写する場合でも個々の画像データを適切に圧縮することができる。
【００３４】
上述した実施形態においては、ＲＡＷファイルを生成する時の圧縮率を決定し、この圧縮率でＲＡＷファイルを生成して記録保存するようにしたが、ＲＡＷデータに対して現像処理してカラー変換（ＲＧＢ変換）処理、ホワイトバランスやシャープネス調整処理などの現像処理を実行した後、この現像済み画像を、上述のようにして決定した圧縮率で圧縮してＪＰＥＧファイルを生成し、このＪＰＥＧファイルを画像メモリ３Ｄに記録保存するようにしてもよい。この場合、決定した圧縮率に基づいて生成したＲＡＷファイルと現像済み画像（ＪＰＥＧファイル）とを対にして画像メモリ３Ｄに記録保存するようにしてもよい。このように現像済み画像を決定した圧縮率に基づいて圧縮するようにすれば、上述した実施形態と同様に、特別なユーザ操作を行わなくても個々の画像データをその画像内容に応じて適切に圧縮することができ、画質の低下を抑えながら圧縮後のデータ量を極力少なくすることが可能となる。
【００３５】
上述した実施形態においては、ライブビュー画像を解析する場合、特に言及はしなかったが、画像全体を解析する場合のほか、画像の一部分だけを解析するようにしてもよい。例えば、被写体部分を特定するために画像の中心部分のみを解析したり、人物部分のみを解析したりするようにしてもよい。又は、画像全体を多数のブロックに分割した状態において、例えば、一部のブロック（例えば、奇数ブロック）のみを解析したりするようにしてもよい。これによって解析処理時間の大幅な短縮が可能となる。
【００３６】
上述した実施形態において画像解析部７は、“絵柄の細かさを解析する方法”、“画像の明るさ分布を解析する方法”で画像内容を解析するようにしたが、その解析方法はこれに限らず、画質の低下具合を解析するようにしてもよい。例えば、元画像に対して画質の低下具合が３０％程度に留まるか否かを解析するようにしてもよい。
【００３７】
上述した実施形態においては、撮像装置としてデジタルカメラに適用した場合を示したが、カメラ自体に限らず、例えば、カメラ機能付きパーソナルコンピュータ・ＰＤＡ（個人向け携帯型情報通信機器）・タブレット端末装置・スマートフォンなどの携帯電話機・電子ゲーム・音楽プレイヤーなどであってもよい。
【００３８】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００３９】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
撮像された画像データを保存する撮像装置であって、
ライブビュー画像を取得する取得手段と、
前記取得手段によって取得したライブビュー画像を解析する解析手段と、
前記解析手段による解析結果に基づいて、保存対象の画像データの圧縮率を決定する決定手段と、
前記決定手段によって決定された圧縮率で前記画像データを圧縮処理する圧縮処理手段と、
を備えたことを特徴とする。
（請求項２）
請求項２に記載の発明は、請求項１記載の撮像装置において、
前記画像データは、撮像素子から取得したＲＡＷデータである、
ことを特徴とする。
（請求項３）
請求項３に記載の発明は、請求項１又は２記載の撮像装置において、
前記画像データは、撮像素子から取得したＲＡＷデータである、
ことを特徴とする。
（請求項４）
請求項４に記載の発明は、請求項１乃至３のいずれか１項に記載の撮像装置において、
前記決定手段は、保存対象のＲＡＷデータを、あらかじめ設定されているメモリ領域に保存可能な適切なサイズに圧縮するための圧縮率を決定する、
ことを特徴とする。
（請求項５）
請求項５に記載の発明は、請求項１乃至４のいずれか１項に記載の撮像装置において、  前記決定手段は、前記解析手段による解析結果に基づいて、前記画像データから画像ファイルを生成する時の圧縮率を決定し、
前記決定手段によって決定された圧縮率で前記画像ファイルを生成する生成手段を更に備える、
ことを特徴とする。
（請求項６）
請求項６に記載の発明は、請求項５に記載の撮像装置において、
前記画像データは、撮像素子から取得したＲＡＷデータであり、
前記画像ファイルは、前記ＲＡＷデータに対して現像処理された現像済み画像である、
ことを特徴とする。
（請求項７）
請求項７に記載の発明は、請求項１乃至６のいずれか１項に記載の撮像装置において、
前記解析手段は、前記ライブビュー画像における画像の分散を解析する、
ことを特徴とする。
（請求項８）
請求項８に記載の発明は、請求項１乃至６のいずれか１項に記載の撮像装置において、
前記解析手段は、前記ライブビュー画像における明るさの分布を解析する、
ことを特徴とする。
（請求項９）
請求項９に記載の発明は、請求項１乃至６のいずれか１項に記載の撮像装置において、
前記解析手段は、前記ライブビュー画像における画像の分散を解析する方法、前記ライブビュー画像における明るさの分布を解析する方法を含む複数の解析方法のうち、少なくともその一つの解析方法が任意に選択指定された場合に、その指定方法で解析する、
ことを特徴とする。
（請求項１０）
請求項１０に記載の発明は、
撮像された画像データを保存する撮像装置における画像保存方法であって、
ライブビュー画像を取得する処理と、
前記取得したライブビュー画像を解析する処理と、
前記解析結果に基づいて、保存対象の画像データの圧縮率を決定する処理と、
前記決定された圧縮率で前記画像データを圧縮する処理と、
を含むことを特徴とする。
（請求項１１）
請求項１１に記載の発明は、
撮像された画像データを保存する撮像装置のコンピュータに対して、
ライブビュー画像を取得する機能と、
前記取得したライブビュー画像を解析する機能と、
前記解析結果に基づいて、保存対象の画像データの圧縮率を決定する処理と、
前記決定された圧縮率で前記画像データを圧縮処理する機能と、
を実現させるためのプログラム。
【符号の説明】
【００４０】
１  制御部
３  記憶部
３Ａ  プログラムメモリ
３Ｂ  バッファメモリ
３Ｄ  画像メモリ
３Ｅ  圧縮率決定テーブル
６  撮像部
７  画像解析部
【図１】
2016052081.tif 000003
【図２】
2016052081.tif 000004
【図３】
2016052081.tif 000005